(57)【特許請求の範囲】
【請求項１】
コールドフォイルエンボス法で用いるためのブランケットであって、
転写胴に向いた張設層と少なくとも１つの中間層とカバー層とを備えている形式のものにおいて、
転写胴（４０１）に張設層（６）が接触しており、張設層（６）の上に圧縮性の中間層（５）が位置し、中間層（５）の上にカバー層（３）が位置し、カバー層（３）は、平滑な表面（４）を有し、
硬質の構成要素（２，２１）が、カバー層（３）によって包囲されていて、該カバー層（３）に埋め込まれており、硬質の構成要素（２，２１）が、カバー層（３）によって完全に包囲されており、硬質の構成要素（２，２１）が、ブランケット（１，２０）の表面（４）に対して間隔ａを有していることを特徴とする、コールドフォイルエンボス法で用いるためのブランケット。
【請求項２】
硬質の構成要素（２，２１）が、実質的に非圧縮性かつ／または不撓性である、請求項１記載のブランケット。
【請求項３】
硬質の構成要素が、ガラス、セラミック、プラスチック、カーボンおよびメタルのグループの材料から成る、球状および／または半球状の構成要素（２）として形成されている、請求項２記載のブランケット。
【請求項４】
硬質の構成要素が、有利にはグラスファイバ、プラスチックファイバ、セラミックファイバ、メタルファイバおよびカーボンファイバのグループから成る織物（２１）として形成されている、請求項２記載のブランケット。
【請求項５】
硬質の構成要素が、球状かつ／または半球状の構成要素（２）として、また織物（２１）として形成されている、請求項３または４記載のブランケット。
【請求項６】
間隔ａが、０．５ｍｍの範囲である、請求項１記載のブランケット。
【請求項７】
コールドフォイルエンボス装置であって、
接着剤層を画像に応じて塗布するための塗布部が設けられており、転写胴と転写フォイルとを備えた転写部が設けられており、該転写胴が、圧胴と共に転写ギャップを形成しており、転写フォイルが、被印刷物と共に転写ギャップを通ってガイドされるようになっており、被印刷物の、接着剤の塗布された領域に押圧力が作用して、転写層が被印刷物に転写されるようになっている形式のものにおいて、
転写胴（４０１）が、請求項１から６までのいずれか１項記載のブランケット（１，２０）を備えており、該ブランケット（１，２０）によって、転写ギャップ（４０８）において転写層の転写が行われるようになっていることを特徴とする、コールドフォイルエンボス装置。
【発明の詳細な説明】
【技術分野】
【０００１】
本発明は、コールドフォイルエンボス法で用いるためのブランケットに関しており、転写層に向いた張設層と少なくとも１つの中間層とカバー層とが設けられている。
【０００２】
さらに本発明は、印刷機もしくはコールドフォイルエンボス装置に関しており、転写層を支持フォイルから被印刷物に転写するための少なくとも１つの転写部が設けられており、転写層と支持フォイルとが相俟って転写フォイルを形成しており、転写部は、転写胴と圧胴とを備えており、転写胴は、圧胴に胴入れされていて、圧胴と共に転写ギャップを形成しており、被印刷物は、転写層を転写するために、搬送路に沿って転写ギャップを通って搬送されるようになっており、さらに印刷機は、接着剤を少なくとも部分的に被印刷物に塗布するための少なくとも１つの塗布部を備えており、塗布部は、転写部の上流側に設けられており、転写層は、転写部において、被印刷物に接着剤の取り付けられる領域で、支持フォイルから剥離されるようになっている。
【０００３】
有利には、このような装置は、いわゆるコールドフォイルエンボス方法に関するものである。
【背景技術】
【０００４】
コールドフォイルエンボスでは、転写層が、支持材料から被印刷物に転写される。
【０００５】
支持材料として、支持フォイルが用いられる。支持フォイルにラッカ層が取り付けられ、ラッカ層は、特に転写層の色調に作用を及ぼす。ラッカ層とアルミニウム層が結合され、アルミニウム層は、転写層に金属光沢を及ぼす。さらにアルミニウム層に、別の付着層を設けてもよく、付着層は、被印刷物に対する接着剤による転写層の付着特性を改善する。支持材料から転写される層は、転写層と呼ばれる。
【０００６】
転写層を被印刷物に転写するために、転写層は、被印刷物と共に転写ギャップを通ってガイドされる。転写ギャップは、転写胴と圧胴とによって形成され、転写胴と圧胴とは当接している。転写胴と圧胴とは、力を加えて互いに当接した状態で回転され、転写ギャップにおいて転写層が被印刷物に転写される。
【０００７】
被印刷物に部分的に転写層を転写するために、被印刷物にフォイル転写前に接着剤層が設けられ、接着剤層は、フォイルの転写される領域に対応している。
【０００８】
接着剤として、無色の接着剤、固有の色を有する接着剤またはフォイルに応じて着色された接着剤を用いることができる。既に青銅めっき技術から公知であるが、金属粒子を転写するために特に粘着性のインキが用いられ、インキの色調は、所望の金属被覆に対応する。もちろんこれに関して着色された接着剤に対して選択的に粘着性のインキを用いることもできる。
【０００９】
転写層は、主に金属層であっても別の層であってもよい。たとえばアルミニウム層を設けてよく、アルミニウム層は、必要に応じてイエロー／ゴールドのラッカ層またはシルバーのラッカ層に取り付けられている。
【００１０】
さらに転写層として、たとえばＰＥフォイルから成る無色の層を用いてもよく、無色の層は、被印刷物に転写され、そこで保護層を形成する。
【００１１】
転写層として伝導性の層を用いてもよく、これによって導電性かつ／または熱伝導性の領域を被印刷物に取り付けることができる。転写層として、予め準備して画成された層領域を転写することもでき、この場合ＲＦＩＤチップまたはそのアンテナであってよい。適当なセラミックスを転写することもできる。このようにして超伝導構造を被印刷物に転写することも考えられる。
【００１２】
コールドフォイルエンボスのための装置は、欧州特許出願公開第０５７８７０６号明細書に記載されている。
【００１３】
ここでは多色印刷機の内側でコールドフォイルエンボスが行われる。被印刷物は、設定された搬送路に沿って印刷機内を搬送される。被印刷物は、たとえばペーパーシート、厚紙またはロールであってよい。
【００１４】
印刷機の第１の印刷部で、被印刷物にインキの代わりに接着剤が転写される。接着剤を部分的に塗布するために、第１の印刷部において、適当に画像形成された刷版が張設され、接着剤が従来慣用のオフセットインキのように被印刷物に転写される。そのような接着剤を塗布する印刷部は、塗布部と呼ばれる。
【００１５】
被印刷物は、引き続き第２の印刷部に搬送される。第２の印刷部では、圧胴とゴム胴とが転写部として形成されている。
【００１６】
この第２の印刷部の領域に、転写フォイル貯蔵ロールと転写フォイル巻取ロールとを備えたフォイルモジュールが設けられている。フォイルガイド装置の中間ローラを介して、フォイルは、転写フォイルウェブとして転写フォイル貯蔵ロールから転写ギャップに向かって、さらに転写フォイル巻取ロールにガイドされる。
【００１７】
被印刷物に転写層を転写するために、転写フォイルウェブと、部分的に接着剤層を有する被印刷物とが、まとめて転写ギャップを通ってガイドされ、転写層が接着剤層に載設される。押圧によって、転写ギャップにおいて、転写層が被印刷物に転写される。この場合接着剤によって、転写層は、正確に転写フィオルから剥離される。
【００１８】
被印刷物に転写層を正確に転写するために、フォイルおよび被印刷物は、転写ギャップの領域で転写中同じ速度で駆動される。
【００１９】
後続のプレス部で、実質的に転写された転写層が作用するので、フォイルの持続的な載着が得られる。
【００２０】
転写胴に設けられたブランケットとして、ここでは従来慣用の印刷機のブランケットもしくはゴムブランケットが提案されている。
【特許文献１】欧州特許出願公開第０５７８７０６号明細書
【発明の開示】
【発明が解決しようとする課題】
【００２１】
本発明の課題は、冒頭で述べたような形式の、コールドフォイルエンボス法で用いるためのブランケットにおいて、コールドフォイルエンボス装置によって形成される印刷結果の品質を改善するものを提供することである。
【課題を解決するための手段】
【００２２】
この課題を解決するための本発明の構成は、コールドフォイルエンボス法で用いるためのブランケットであって、転写胴に向いた張設層と少なくとも１つの中間層とカバー層とを備えている形式のものにおいて、硬質の構成要素が、カバー層によって包囲されていて、該カバー層に埋め込まれていることを特徴とする。
【００２３】
有利には、硬質の構成要素が、実質的に非圧縮性かつ／または不撓性である。
【００２４】
有利には、硬質の構成要素が、ガラス、セラミック、プラスチック、カーボンおよびメタルのグループの材料から成る、球状および／または半球状の構成要素として形成されている。
【００２５】
有利には、硬質の構成要素が、有利にはグラスファイバ、プラスチックファイバ、セラミックファイバ、メタルファイバおよびカーボンファイバのグループから成る織物として形成されている。
【００２６】
有利には、硬質の構成要素が、球状かつ／または半球状の構成要素として、また織物として形成されている。
【００２７】
有利には、硬質の構成要素が、カバー層によって完全に包囲されており、硬質の構成要素が、ブランケットの表面に対して間隔ａを有している。
【００２８】
有利には、間隔ａが、０．５ｍｍの範囲である。
【００２９】
有利には、織物が、少なくとも一部でカバー層によって不完全に包囲されており、織物が、少なくとも一部で区分だけカバー層から突出している。
【００３０】
この課題を解決するための本発明の構成は、コールドフォイルエンボス装置であって、接着剤層を画像に応じて塗布するための塗布部が設けられており、転写胴と転写フォイルとを備えた転写部が設けられており、該転写胴が、圧胴と共に転写ギャップを形成しており、転写フォイルが、被印刷物と共に転写ギャップを通ってガイドされるようになっており、被印刷物の、接着剤の塗布された領域に押圧力が作用して、転写層が被印刷物に転写されるようになっている形式のものにおいて、転写胴が、ブランケットを備えており、該ブランケットによって、転写ギャップにおいて転写層の転写が行われるようになっていることを特徴とする。
【発明の効果】
【００３１】
本発明によれば、被印刷物に転写された転写層の品質に関して、後続のプレス部は不要である。なぜならば実際のフォイル転写が実質的に接着剤品質と転写部内の状況とによって規定されるからである。
【００３２】
転写部、つまり転写ギャップに十分に高い押圧力が保証される場合、たとえば被印刷物に転写層をシャープな縁取りで転写する良好なフォイル転写が得られる。
【００３３】
そのような高い押圧力は、本発明によれば、転写胴に設けられた本発明によるブランケットによって達成される。
【００３４】
ブランケットは、コールドフォイル部の転写胴に用いられる。転写胴として、従来慣用の印刷部のゴム胴が用いられる。転写胴は、圧胴に胴入れされ、圧胴と協働して転写ギャップを形成する。
【００３５】
ブランケットは、カバー層と、その下に位置する少なくとも１つの中間層と、有利には織物または金属層から成る、胴に向いた下位の張設層とを備えている。
【００３６】
中間層は、圧縮性または非圧縮性、連続気泡または独立気泡の中間層であってよい。
【００３７】
本発明によるブランケットは、硬質の、有利には低圧縮性〜非圧縮性かつ／または低撓性〜不撓性の構成要素の取り付けられたカバー層を備えている。
【００３８】
この構成要素は、カバー層に埋め込むか、または注入することができる。カバー層は、１実施形態では、従来慣用のゴム層またはシリコーン層を備えており、ゴム層またはシリコーン層に硬質の構成要素が組み込まれている。
【００３９】
さらにカバー層は、望ましくは比較的小さな摩擦で平滑な表面を有するように形成されている。このために平滑な表面は、摩擦をさらに低減するために、さらに精密に研磨し、キャストコーティングし、放射加工または吹付加工し、またはテキスタイル加工することができる。
【００４０】
平滑な表面によって、高い光沢を有する転写結果が保証される。さらに同時に、所望の場合、転写層への構造部のエンボス加工は、有利には同時に平滑な表面で、埋め込まれた硬質の構成要素によって回避することができる。
【００４１】
硬質の構成要素として、特に球形または半球形の構成要素、たとえばガラス玉、プラスチック玉、セラミックス玉または金属玉が挙げられる。
【００４２】
選択的に硬質の構成要素として、グラスファイバ、メタルファイバ、カーボンファイバ、プラスチックファイバまたはセラミックスファイバの織物をカバー層に埋め込むことができる。
【００４３】
硬質の構成要素の構成に関して、選択的な別の幾何学形状を設けてもよい。この場合、たとえば波形、円筒形、立方体、錐体または類似の構造であってよい。
【００４４】
この場合有利には、硬質の構成要素は、望ましくはカバー層によって完全に包囲されている。別の実施形態では、カバー層は、硬質の構成要素がカバー層に埋め込まれて、カバー層によって重畳される０．５ｍｍまでの範囲を有している。この場合硬質の構成要素は、０．５ｍｍまでの深さでカバー層に入り込んでいる。
【００４５】
選択的に、カバー層は、硬質の構成要素に重畳することができ、構造部が、埋め込まれた硬質の構成要素に基づいて、カバー層の表面に存在しない。別の実施形態では、望ましくは胴にブランケットの張設された状態で、構造部が、カバー層の表面に存在しない。
【００４６】
ブランケットのカバー層は、硬質の構成要素をカバー層に嵌め込むか、または注入する方法によって製造することができる。
【００４７】
本発明によれば、ブランケットは、たとえばドイツ連邦共和国特許出願公開第１０２００５０４６６８９号明細書（これによりコールドフォイルエンボス法および適当な装置の説明に関して包括的に参照することができる）に記載したようないわゆるコールドフォイルエンボス法に用いられる。ここではブランケットは、前述したように転写胴に取り付けられる。転写胴は、圧胴と共に転写ギャップを形成する。転写ギャップを通って、転写フォイルウェブと、接着剤の塗布された被印刷物とがまとめてガイドされる。押圧力によって、転写ギャップにおいて転写層が転写フォイルから被印刷物に転写される。この場合接着剤の塗布された領域で、転写層の、画像に応じた転写が達成される。
【００４８】
本発明によるブランケットに使用によって、有利には、埋め込まれたかまたは取り付けられた硬質の構成要素によって得られる硬質のカバー層によって、被印刷物への構成要素、つまり転写層の領域の転写がシャープな縁取りで行われる。追加的な平滑な表面によって、嵌め込まれた硬質の構成要素に関して、転写された転写層の特に光沢のある表面層、つまり同時に縁取りのシャープな、高い光沢を有する印刷結果もしくは転写結果が達成される。
【００４９】
転写胴に従来慣用のゴムブランケットを備えた公知の構成では、また転写胴とフォイルとの間の摩擦を低減するためにガラス玉入り織布を使用した場合、縁取りのシャープなフォイル転写では同時に光沢の向上は達成されない。さらに平滑な表面によって、織布とフォイルとの間の低減された磨耗が保証される。
【００５０】
有利には、織物の構成をした硬質の構成要素を使用すると、カバー層に硬質の構成要素を部分的に埋め込むこともできる。この場合織物の少なくとも個々の領域がカバー層から突出し、転写胴と圧胴との間の線圧をさらに高めて、転写層の転写品質をさらに高める。有利には、織物は、カバー層から突出することができ、構造化された表面の構成、たとえばある種のひも状構造で、転写された転写層のエンボス加工が行われる。
【００５１】
本発明は、記載の構成に制限されるものではなく、記載の構成から、別の構成が得られるものとする。
【発明を実施するための最良の形態】
【００５２】
次に本発明の実施の形態を図示の実施例を用いて詳しく説明する。
【００５３】
図１には、ガラス玉２の埋め込まれたブランケット１を示した。ガラス玉２は、ブランケットの表面４に対して間隔ａを有するように、カバー層３に埋め込まれている。
【００５４】
カバー層３の下方に、ここでは圧縮性の中間層５が設けられている。選択的に非圧縮性の層を設けてもよい。
【００５５】
ここでは中間層５の下方に張設層（Zugschicht）６が図示されており、張設層６で、ブランケット１は、転写胴４０１に接触する。
【００５６】
図２には、ブランケット２０の選択的な実施例を示した。ガラス玉２の代わりに、ここではグラスファイバ織物２１の構成をした織物が設けられており、グラスファイバ織物２１は、図１に示した実施例のガラス玉２と同様にブランケット２０のカバー層３に埋め込まれている。
【００５７】
図示の実施例でも、ガラス玉２は、中間層５に直に載設してよく、したがってガラス玉２は、完全にカバー層３によって包囲されていて、しかもブランケット１の表面４に対して間隔ａを有するようにすることができる。同じことが図２に示したガラスファイバ織物２１の個々の糸にも当て嵌まる。
【００５８】
記載の実施例では、有利にはカバー層３の材料としてゴムが所望されるが、シリコーンも同様に良好に用いることができる。
【００５９】
図３には、ブランケット２０の別の実施例を示した。グラスファイバ織物２１は、完全にはカバー層３に埋め込まれていないので、グラスファイバ織物２１の個々の糸は、区分ｂで、ブランケット２０の表面４から突出する。その他については、ここでは同じ構成要素には、図１および図２と同じ符合を付した。
【００６０】
図４には、コールドフォイルエンボス装置４００の１構造を例示しており、ここでは本発明によるブランケット１，２０は、適当な転写胴４０１に張設されている。
【００６１】
転写部４０２の上流側に設けられた塗布部４０３では、接着剤層が部分的にシート４０４に転写される。塗布部４０３は、従来慣用の印刷部に相当し、ここではインキの代わりに接着剤が取り付けられる。
【００６２】
転写部４０２は、従来慣用の印刷部またはラッカ着け部であってよく、転写部４０２に転写モジュール４０５が配設されている。ガイド４０６によって、転写フォイル４０９は、転写ギャップ４０８を通ってガイドされ、転写ギャップ４０８は、転写胴４０１と圧胴４０７とによって形成される。転写フォイル４０９は、シート４０４と共に、転写ギャップ４０８を通ってガイドされる。ここでは図示していない転写層が圧力下で転写フォイル４０９から、シート４０４の、画像に応じて接着剤の塗布された領域に転写される。
【００６３】
シートは、転写部４０２においてフォイル転写されたあとで、さらに別の処理部、たとえば図示した印刷部４１０を通ってガイドされる。塗布部４０３の上流側に、図示していない別の処理部を設けてもよい。
【００６４】
転写胴４０１に本発明によるブランケット１，２０を用いることによって、硬質の構成要素２，２１により転写ギャップ４０８における押圧力が高まることに基づいて、印刷製品の光沢を高めつつ、特に縁取りのシャープな転写層の転写が得られる。さらにブランケット１の平滑な表面４によって、転写された転写層への構造部のエンボス加工が、所望の場合に回避される。適当なエンボス加工が所望されると、適当な構造部が、突出する織物２１によって実現される。個々の糸の間隔および糸の延びは、特に所望のエンボスに適合させることができる。
【００６５】
図示したようなガラス玉２および織物２１の配置構造に対して選択的に、ガラス玉２は、均等にまたは不均等に分配して、かつ／または同じ大きさまたは不均等な大きさを有してもよい。織物２１の糸は、様々な太さを有し、かつ／または均等または不均等にブランケット２０のカバー層３に分配してもよい。
【図面の簡単な説明】
【００６６】
【図１】玉状の硬質の構成要素を有するブランケットを示す断面図である。
【図２】織物の埋め込まれたブランケットを示す平面図である。
【図３】突出する織物を有するブランケットを示す平面図である。
【図４】ブランケットを使用するためのコールドフォイルエンボス装置を示す概略図である。
【符号の説明】
【００６７】
１，２０  ブランケット、  ２  ガラス玉、  ３  カバー層、  ４  表面、  ５  フレキシブルな中間層、  ６  張設層、  ２１  グラスファイバ織物、  ４００  コールドフォイル部、  ４０１  転写胴、  ４０２  転写部、  ４０３  塗布部、  ４０４  シート、  ４０５  転写モジュール、  ４０６  ガイド、  ４０７  圧胴、  ４０８  転写ギャップ、  ４０９  転写フォイル、  ４１０  印刷部
【図１】
0005473247.tif 000002
【図２】
0005473247.tif 000003
【図３】
0005473247.tif 000004
【図４】
0005473247.tif 000005